(57)【要約】【課題】  ＩＣチップを埋着した和紙を製造する方法であって、簡単な工程で埋着されるＩＣチップが剥がれ落ちることなく、そして安く製造可能な和紙製造方法の提供。【解決手段】  和紙はベース紙８とカバー紙１９が貼り合わされて構成し、ベース紙８を漉く際に厚さを薄くした溝空間１７を形成し、この溝空間１７の底には接着剤１８を塗布すると共に該溝空間１７にＩＣチップ１３を接着し、その後、ベース紙面にカバー紙１９を貼り合わせる。【選択図】    図３
2005209009.tif 000002
【特許請求の範囲】
【請求項１】
ＩＣチップを埋着した和紙において、該和紙はベース紙とカバー紙が貼り合わされて構成し、ベース紙には厚さを薄くして溝空間を形成すると共に該溝空間には接着剤にてＩＣチップを収容し、この上面にカバー紙を貼り合わせたことを特徴とするＩＣチップを埋着した和紙。
【請求項２】
ＩＣチップを埋着した和紙を製造する方法において、該和紙はベース紙とカバー紙が貼り合わされて構成し、ベース紙を漉く際に厚さを薄くした溝空間を形成し、この溝空間の底には接着剤を塗布すると共に該溝空間にＩＣチップを接着し、その後、ベース紙面にカバー紙を貼り合わせたことを特徴とするＩＣチップを埋着した和紙の製造方法。
【請求項３】
ＩＣチップを埋着した和紙を製造する方法において、該和紙はベース紙とカバー紙が貼り合わされて構成し、ベース紙を漉く網目シリンダー外側面の一部をシールして厚さを薄くした溝空間を形成し、このベース紙を巻いた巻き出しリールから張力機構を介して引き出し、ベース紙に設けた溝空間を検出してノズルから接着剤を流出して塗布し、そして該ベース紙を移動させて再び所定の位置で停止したところでＩＣチップリールから巻き戻して裁断したＩＣチップを溝空間に切り落として接着し、ＩＣチップを接着したベース紙を張力機構を介して一定張力を付勢した状態で巻き取りリールに巻き付け、そしてこの巻取りリールからベース紙を巻き戻してカバー紙を貼り合わせたことを特徴とするＩＣチップを埋着した和紙の製造方法。
【発明の詳細な説明】
【技術分野】
【０００１】
本発明はＩＣチップを埋着した和紙、及び該和紙を製造する方法に関するものである。
【背景技術】
【０００２】
紙にＩＣチップを埋め込んだものは色々知られている。例えば、特開２００２−２９８１１８号に係る「非接触方式のタグ部材が漉き込まれてなる用紙」は、用紙基材の紙層間に、非接触方式のタグ部材を漉き込まれた状態で内蔵することにより、用紙にタグ部材を貼着又は添付させる為の加工の手間を不要とし、タグ部材が剥ぎ取られたりする危険性を防止することが出来る。
【０００３】
特開２００２−３２１４７５号に係る「証券」は、印刷可能な素材に証券の内容などを表すデータを記録した記録素子を備えることにより、紙幣や有価証券の内容を目で直接見ることによって確認出来るだけでなく、電子化された情報として容易に取出せるようにしている。
【０００４】
特開２００２−３４２７３５号に係る「アンテナ部が漉き込まれている用紙」は、用紙に、導電性物質がアンテナとしての機能を備える状態でパルプ基紙中に漉き込むことにより、用紙の印刷デザインをアンテナパターンで阻害されることなく、製造工程が少なくて済むアンテナ部が漉き込まれている用紙である。
【特許文献１】特開２００２−２９８１１８号に係る「非接触方式のタグ部材が漉き込まれてなる用紙」
【特許文献２】特開２００２−３２１４７５号に係る「証券」
【特許文献３】特開２００２−３４２７３５号に係る「アンテナ部が漉き込まれている用紙」
【発明の開示】
【発明が解決しようとする課題】
【０００５】
このように、ＩＣチップを埋め込んだ紙は色々と知られている。しかし、紙を製造する工程において該ＩＣチップをどのように埋め込むかが課題であり、埋め込み工程中にＩＣチップが損傷して機能しないようでは問題となる。そこで、本発明はこのような問題が起きないように、そして簡単な工程で、ＩＣチップを安く埋め込むことが出来る高品質の和紙、及びＩＣチップの埋め込んだ和紙を作る製造方法を提供する。
【課題を解決するための手段】
【０００６】
本発明はＩＣチップを埋め込んだ和紙の製造方法であり、埋め込み工程中にＩＣチップが損傷しないように、又ＩＣチップを埋め込んだ箇所の和紙の厚みが大きくならないように構成している。そこで、和紙はベース紙とカバー紙の２層で構成され、ベース紙にＩＣチップを貼着した状態でカバー紙が貼り合わされる。
【０００７】
ところで、ベース紙には厚さを薄くしてＩＣチップが埋め込まれる溝空間が形成され、この溝空間の底に接着剤が塗布されてＩＣチップが貼着される。厚さを薄くした部位は、和紙製造装置の一部であるシリンダーの網目から紙料が流れ出難いようにシールを施すことで作ることが可能である。これは、和紙に透かし模様を作る場合と同じであるが、本発明ではこの技術を利用してＩＣチップを埋め込み、この部位が厚くならないようにしている。
【０００８】
製造工程では、上記ベース紙に設けている厚さの薄い部位を検出し、この部位に接着剤が塗布される。そして、リール巻きされているＩＣチップを引き出すと共に裁断し、各ＩＣチップは接着剤にて接着された状態でベース紙は巻き取られる。その後、別のカバー紙と接着剤にて貼り合わされて、ＩＣチップが埋め込まれた和紙が出来上がる。
【発明の効果】
【０００９】
本発明が対象とする和紙はＩＣチップを埋着したものであり、和紙と一体化されている為に、ＩＣチップは簡単に剥ぎ取られることはない。そして、ベース紙に厚さを薄くした空間を作り、この空間にＩＣチップが接着された状態でカバー紙が貼り合わされる。厚さを薄くして作った溝空間にＩＣチップが嵌められてカバー紙が貼り合わされることから、出来上がった和紙の厚さは一定となる。そして、和紙製造工程中にＩＣチップが損傷するような環境下におくことはなく、品質の高い和紙が出来上がる。
【実施例】
【００１０】
図１は本発明に係る和紙の製造方法の一部を具体化したＩＣチップの接着装置を表している。同図の１は巻き出しリール、２は巻き取りリール、３，４は張力機構、５は接着剤を塗布するノズル、６はＩＣチップリール、７はＩＣチップの裁断機を夫々表している。
【００１１】
ベース紙８は巻き出しリール１から巻き戻され、巻き取りリール２に巻き取られるが、巻き出しリール１と巻き取りリール２間には張力機構３，４が設けられて、ベース紙８がダブ付くことなく一定の張力が付勢されている。特に両張力機構３，４間のベース紙８は一定の張力と成っていて、接着剤が塗布され、裁断されたＩＣチップが接着され、しかも巻き取りリール２に巻き付くベース紙８も一定の張力が付勢されている状態で巻かれる。
【００１２】
ここで、ベース紙８には厚さが薄く成っている部位が形成され、この部位に接着剤が塗布されると共にＩＣチップリール６から巻き戻されて裁断されたＩＣチップが接着される。和紙を製造する工程において、細かい網目を有すシリンダーの外表面に網目を通過した紙料が付着して和紙となるが、この網目シリンダーの適当な箇所にシールを貼り付けて紙料の通過を抑制することで部分的に厚さが薄くなった和紙が出来上がる。
【００１３】
上記巻き出しリール１にはこのベース紙８がロール巻きされている。張力機構３はダンサロール９を備えている為に、駆動ロール１１とロール１２間のベース紙８はダブ付くことがないように一定の張力が付勢され、駆動ロール１１が回転することでベース紙８は移動するが、接着剤を塗布する際には停止し、又ＩＣチップ１３をベース紙８の溝空間に落として接着する際にも停止する。このように、ベース紙８が停止してもダンサロール９が降下することで、一定の張力は付勢された状態にある。
【００１４】
図２は５本のノズル５ａ，５ｂ・・にてベース紙８に接着剤を塗布する場合を示している。別の箇所にホットメルトタンク１４を備え、該ホットメルトタンク１４とはチューブ１５ａ，１５ｂ・・にて連結し、これらチューブ１５ａ，１５ｂ・・を介してホットメルトタンク１４内の接着剤が各ノズル５ａ，５ｂ・・から流れ出してベース紙８に塗布される。
【００１５】
塗布される場合には、上記駆動ロール１１の回転が止まってベース紙８の移動も停止する。この状態で各ノズル５ａ，５ｂ・・は所定の距離だけ移動し、接着剤を塗布することが出来る。接着剤が塗布される箇所は厚さを薄くした溝空間であって、該溝空間はセンサーにて検出される。ここで、該ノズル５ａ，５ｂ・・の移動速度は限定しないが、約３０ｍ／分とし、移動距離が５０ｍｍとすれば、瞬間的に塗布することが可能となる。
【００１６】
そして、接着剤が所定の溝空間の底に塗布されたベース紙８は、駆動ロール１１の回転にて移動を開始し、図１におけるＩＣチップ１３が切り落とされる箇所で再び停止する。ＩＣチップリール６から所定の長さ分が巻き戻されたところで裁断機７が作動してカッター１６が降下して裁断される。裁断されたＩＣチップ１３は落下して溝空間に落下し、塗布されている接着剤にて接着される。本発明では、裁断機の具体的な構造は限定せず、接着剤を塗布するノズル構造も自由である。
【００１７】
ここで、ＩＣチップリール６も６箇所に設けられ、裁断機７の作動で各ＩＣチップ１３，１３・・が裁断されて落下し、ベース紙８に接着され、そして巻き取りリール２に巻き取られる。巻き取りリール２に巻き取られる場合も、弛まないように張力機構４が備わっている。すなわち、ダンサロール１０が巻き取りリール２の回転に応じて昇降動し、常に一定の張力が付勢された状態で巻き取られる。
【００１８】
そして、巻き取りリール２に巻き取られたベース紙８は別工程にて巻き戻され、カバー紙と張り合わされてＩＣチップを埋め込んだ和紙が出来上がる。図３は本発明に係る和紙製造方法を表す主な工程であり、
(ａ)はベース紙８の表面に溝空間１７が形成されている場合であり、この溝空間１７は和紙製造装置のシリンダーにて作られる。
(ｂ)は溝空間１７にノズル５によって接着剤１８が塗布された場合である。
(ｃ)は溝空間１８にＩＣチップ１３を収容して接着した場合である。
(ｄ)はカバー紙１９を貼り合わせてＩＣチップを埋め込み、所定の和紙が製作された場合である。
【図面の簡単な説明】
【００１９】
【図１】ベース紙にＩＣチップを接着する装置。
【図２】接着剤の塗布装置。
【図３】本発明に係る和紙製造方法。
【符号の説明】
【００２０】
１  巻き出しリール
２  巻き取りリール
３  張力機構
４  張力機構
５  ノズル
６  ＩＣチップリール
７  裁断機
８  ベース紙
９  ダンサロール
10  ダンサロール
11  駆動ロール
12  ロール
13  ＩＣチップ
14  ホットメルトタンク
15  チューブ
16  カッター
17  溝空間
18  接着剤
19  カバー紙
【図１】
2005209009.tif 000003
【図２】
2005209009.tif 000004
【図３】
2005209009.tif 000005